(57)【要約】【課題】  第三者に正規の暗証番号が入力されることを防止する。【解決手段】  携帯電話のテンキーを配置した領域に、ユーザが指をなぞることにより文字を入力可能な接触検知センサを配置し、キーロックを解除する為の暗証番号を登録する際に、ユーザが接触検知センサ上になぞった形と、テンキーから入力された番号とを組み合わせることにより、暗証番号を複雑にしている。【選択図】      図５
2007109128.tif 000002
【特許請求の範囲】
【請求項１】
テンキーと、接触検知センサと、を有し、
前記接触検知センサをなぞることにより入力された形と前記テンキーから入力された数字との組み合わせを暗証番号として登録可能であることを特徴とする入力装置。
【請求項２】
テンキーと、接触検知センサと、を有し、
前記接触検知センサから入力された数字と前記テンキーから入力された数字とを区別してこれらの組み合わせを暗証番号として登録可能であることを特徴とする入力装置。
【請求項３】
テンキーと、接触検知センサと、該接触検知センサをなぞることにより入力された形と前記テンキーから入力された数字との組み合わせを暗証番号として記憶する記憶手段と、特定機能の動作を禁止するように制御する制御手段と、を有し、
前記制御手段は、前記特定機能の動作を禁止している状態で、前記接触検知センサ及び前記テンキーから、前記記憶手段に記憶されている暗証番号と同一の暗証番号が入力されたと判定すると、前記特定機能の動作禁止を解除するように制御することを特徴とする入力装置。
【請求項４】
テンキーと、接触検知センサと、該接触検知センサから入力された数字と前記テンキーから入力された数字とを区別してこれらの組み合わせを暗証番号として記憶する記憶手段と、特定機能の動作を禁止するように制御する制御手段と、を有し、
前記制御手段は、前記特定機能の動作を禁止している状態で、前記接触検知センサ及び前記テンキーから、前記記憶手段に記憶されている暗証番号と同一の暗証番号が入力されたと判定すると、前記特定機能の動作禁止を解除するように制御することを特徴とする入力装置。
【発明の詳細な説明】
【技術分野】
【０００１】
本発明は、暗証番号等を入力する為の入力装置及びその入力装置を備えた携帯電話装置、特に操作部に接触検知センサが設けられた入力装置及び携帯電話装置に関する。
【背景技術】
【０００２】
近年の電話装置には、ユーザが携帯電話を紛失した際に他人に勝手に使用されるのを防止する為に、ユーザの操作に応じてキー操作を無効な状態にし、この状態で暗証番号を入力することにより、キー操作を有効な状態にする所謂キーロック機能を有する電話装置が製品化されている。
【０００３】
又、電話装置から所望の電話装置へ発呼を行い続いて暗証番号を入力し、前記所望の電話装置をキーロック状態にするようといった、遠隔操作により着呼側の電話装置をキーロック状態にする技術が提案されている（特許文献１参照）。
【特許文献１】特開平６−１２５３０５号公報
【発明の開示】
【発明が解決しようとする課題】
【０００４】
しかしながら、このようなキーロック機能を有する携帯電話装置では、ユーザが４桁の暗証番号として、自分の生年月日や車のナンバーや連続する番号を登録する場合が多々ある。この為、４桁の暗証番号をキー押下により入力する方法では、他人により正しい暗証番号が入力されキーロック状態を解除される可能性が高い。又、４桁の番号であれば、第三者がテンキーを適当に入力すれば暗証番号が解除される可能性がある。
【課題を解決するための手段】
【０００５】
本願発明は、このような課題を解決する為のものであり、携帯電話を紛失した場合に容易に他人にキーロックを解除されないようにするものであり、
請求項１記載の入力装置は、テンキーと、接触検知センサと、を有し、前記接触検知センサをなぞることにより入力された形と前記テンキーから入力された数字との組み合わせを暗証番号として登録可能であることを特徴とする。
請求項２記載の入力装置は、テンキーと、接触検知センサと、を有し、前記接触検知センサから入力された数字と前記テンキーから入力された数字とを区別してこれらの組み合わせを暗証番号として登録可能であることを特徴とする。
請求項３記載の入力装置は、テンキーと、接触検知センサと、該接触検知センサをなぞることにより入力された形と前記テンキーから入力された数字との組み合わせを暗証番号として記憶する記憶手段と、特定機能の動作を禁止するように制御する制御手段と、を有し、前記制御手段は、前記特定機能の動作を禁止している状態で、前記接触検知センサ及び前記テンキーから、前記記憶手段に記憶されている暗証番号と同一の暗証番号が入力されたと判定すると、前記特定機能の動作禁止を解除するように制御することを特徴とする。
請求項４記載の入力装置は、テンキーと、接触検知センサと、該接触検知センサから入力された数字と前記テンキーから入力された数字とを区別してこれらの組み合わせを暗証番号として記憶する記憶手段と、特定機能の動作を禁止するように制御する制御手段と、を有し、前記制御手段は、前記特定機能の動作を禁止している状態で、前記接触検知センサ及び前記テンキーから、前記記憶手段に記憶されている暗証番号と同一の暗証番号が入力されたと判定すると、前記特定機能の動作禁止を解除するように制御することを特徴とする。
【発明の効果】
【０００６】
本発明によれば、暗証番号の入力をテンキーからの入力と、接触検知センサからの入力の組み合わせにより行うため、従来のテンキーにより４桁の暗証番号を入力する方法に比べ、暗証番号を複雑にすることが可能である。この為、第三者が容易に暗証番号を解読し、携帯電話といった電子機器の不正使用を行うことを回避することが可能である。
【発明を実施するための最良の形態】
【０００７】
次に、本発明の一実施形態に係る携帯電話装置について、図面を参照して説明する。
図１は本実施例装置である携帯電話装置の斜視図である。本実施例装置は、テンキー４８といった通常のキー操作部以外に、ユーザが指で触れることにより操作可能な接触検知センサ５６も搭載している、又、前記接触検知センサ５６は、テンキー４８及びテンキー４８の周囲の領域に配置されている。
【０００８】
図２は、本実施例の使用形態を示す斜視図である。ユーザは、テンキー４８及びその周辺に配置されている接触検知センサ５６（図２の点線で囲っている部分）を指でなぞることにより、入力操作を行うことが可能である。
【０００９】
図３に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００１０】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１１】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１２】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１３】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１４】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１５】
また、通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３８が接続されており、ＲＯＭ３８に格納されているシステムプログラムに基づき各部を制御する。
【００１６】
また、制御回路３６には、入力部４４が接続されている。この入力部４４は、電話番号等の入力を行うテンキー４８と、通話の開始を操作する通話キー５０と、テンキー４８で入力するモードか接触検知センサ５６から入力するモードかを切り換える切換キー５２と、ＯＫキー５４と、クリアキー５５と、を有している。
ここで、テンキー４８には、１〜９の各入力ボタンと、♯ボタンと、＊ボタン（本実施形態では１２個のボタンとなる）とが含まれる。また、図４に示すように全てのテンキー４８の表面と、テンキー４８周辺の筐体表面には、ユーザが接触したことを検知する接触検知センサ５６が設けられている。この接触検知センサ５６は、従来から知られているものであり、例えば、透明電極等が用いられている。この接触検知センサ５６は、回路基板５８に形成された配線パターンと電気的に接続されており（図示せず）、更に、回路基板５８は制御回路３６と電気的に接続されている。この為、ユーザが接触検知センサ５６に触れたことを示す信号は、接触検知センサ５６、回路基板５８、を介して制御回路３６へ入力される。
尚、本実施例装置では、接触検知センサ５６を筐体表面に配置しているが、筐体及びキー４８の裏面側のように筐体内部に配置しても良い。
【００１７】
また、制御回路３６には、所定の色のＬＥＤ素子を備えた照明部４６が接続されている。照明部４６のＬＥＤ素子の発光により、ディスプレイ（表示部）４２が所定の色に施される。
【００１８】
ＲＡＭ４０には、接触検知センサ５６から入力された形のデータと、テンキー４８から入力された数字のデータと、これら形のデータ又は数字のデータが、接触検知センサ５６かテンキー４８のどちらから入力されたかを示すデータと、が格納されこれらのデータが暗証番号として格納される。又、ＲＡＭ４０には、テンキー４８から暗証番号を入力するモードか或いは接触検知センサ５６から暗証番号を入力するモードかを示す状態フラグを格納している。
【００１９】
制御回路３６内部には接触検知センサ５６から入力された暗証番号を一時的に格納するバッファ７１を有している。詳細な動作説明については後ほど説明する。
【００２０】
本実施例装置はこのような構成である。次に、図３に示す構成の携帯電話装置の動作について以下に説明する。
【００２１】
本実施例では、ユーザが接触検知センサ５６とテンキー４８を用いて４桁の暗証番号を入力することにより、キーロックをオフ（又はオン）操作可能としている。例えば、図５は接触検知センサ５６の使用形態を示す図であるが、暗証番号の登録の際には、図５に示すように、ユーザが接触検知センサ５６上をなぞることにより、例えば１の入力が行われ、続いてテンキー４８を押下することにより、２、３、４の入力が行われ、このようにして暗証番号の登録が行われる。この登録された暗証番号を用いてキーロックを解除する場合には、同じように、ユーザが接触検知センサ５６上をなぞることにより、例えば１の入力を行い、続いてテンキー４８を押下することにより、２、３、４の入力を行うことにより暗証番号の入力が行われキーロックが解除される。
【００２２】
次に暗証番号の登録を行う際の動作について説明する。図６は、暗証番号の登録を行う際の動作を示すフロー図である。
【００２３】
図６のＳ１ステップでは、制御回路３６は、ＲＡＭ４０に格納されている状態フラグをオンすることによりテンキー登録状態にする。この状態では、暗証番号の登録をテンキー４８にて行うことはできるが、接触検知センサ５６上をなぞることにより入力することができない。
【００２４】
Ｓ２ステップでは、制御回路３６は、テンキー４８で暗証番号を登録する状態か否かを判定する。具体的には、ＲＡＭ４０に格納されている状態フラグがオンであると判定すると、Ｓ３ステップへ処理を進め、そうでなければＳ１１ステップへ処理を進める。
【００２５】
Ｓ３ステップでは、制御回路３６は、テンキー４８の押下があると判定すると、Ｓ４ステップへ処理を進め、そうでなければＳ１１ステップへ処理を進める。
【００２６】
Ｓ４ステップでは、制御回路３６は、前記Ｓ３ステップで押下されたテンキー４８に対応する数字をディスプレイ４２に表示し、Ｓ５ステップへ処理を進める。
【００２７】
Ｓ５ステップでは、制御回路３６は、ＯＫキー５４の押下があると判定すると、Ｓ６ステップへ処理を進め、そうでなければ、Ｓ９ステップへ処理を進める。
【００２８】
Ｓ６ステップでは、制御回路３６は、前記Ｓ４ステップで表示されている数字のデータと、テンキー４８からの入力であることを示すデータと、をバッファ７１に一時的に格納する。
【００２９】
Ｓ７ステップでは、制御回路３６は、ディスプレイ４２の表示をクリアし、Ｓ８ステップへ処理を進める。
【００３０】
Ｓ８ステップでは、制御回路３６は、バッファ７１に格納されているデータが４桁であると判定すると、そのデータをＲＡＭ４０に格納し、登録処理を終了する。一方、４桁でなければＳ２ステップへ処理を戻す。
【００３１】
Ｓ９ステップでは、制御回路３６は、クリアキー５５の押下があると判定すると、Ｓ１０ステップへ処理を進め、そうでなければＳ５ステップへ処理を戻す。
【００３２】
Ｓ１０ステップでは、制御回路３６は、ディスプレイ４２の表示をクリアしＳ２ステップへ処理を戻す。
【００３３】
このように、テンキー登録状態では、テンキーを押下する度に、押下されたテンキーに対応する数字が暗証番号としてバッファ７１に一時的に格納される。
【００３４】
Ｓ１１ステップでは、制御回路３６は、接触検知センサ５６から指が接触されたことを示す信号を検出すると、Ｓ１２ステップへ処理を進め、そうでなければ、Ｓ１８ステップへ処理を進める。
【００３５】
Ｓ１２ステップでは、制御回路３６は、接触検知センサ５６から入力した形をディスプレイ４２に表示させる。例えば、図５の（ａ）に示すように、ユーザが接触検知センサ５６上を指でなぞり、数字の「１」が描かれると、その形がディスプレイ４２に表示される。
【００３６】
Ｓ１３ステップでは、制御回路３６は、ＯＫキー５４の押下があると判定すると、Ｓ１４ステップへ処理を進め、そうでなければ、Ｓ１６ステップへ処理を進める。
【００３７】
Ｓ１４ステップでは、制御回路３６は、前記Ｓ１２ステップで表示されている形のデータと、接触検知センサ５６からの入力であることを示すデータと、をバッファ７１に一時的に格納する。
【００３８】
Ｓ１５ステップでは、制御回路３６は、ディスプレイ４２の表示をクリアし、Ｓ１８ステップへ処理を進める。
【００３９】
一方、Ｓ１６ステップでは、制御回路３６は、クリアキー５５の押下があると判定すると、Ｓ１７ステップへ処理を進め、そうでなければＳ１３ステップへ処理を戻す。
【００４０】
Ｓ１７ステップでは、制御回路３６は、ディスプレイ４２の表示をクリアし、Ｓ１８ステップへ処理を進める。
【００４１】
Ｓ１８ステップでは、制御回路３６は、バッファ７１に格納されているデータが４桁であると判定すると、そのデータをＲＡＭ４０に格納し、処理を終了する。一方、４桁でなければＳ１９ステップへ処理を進める。ステップへ処理を戻す。
【００４２】
Ｓ１９ステップでは、制御回路３６が、切換キー５２が押下されたと判定すると、Ｓ２０ステップへ処理を進め、そうでなければ、Ｓ１１ステップへ処理を戻す。
【００４３】
Ｓ２０ステップでは、制御回路３６は、ＲＡＭ４０に格納されている状態フラグを書き換える。尚、ここで、テンキー登録状態であれば、接触検知センサによる登録状態に切換え、接触検知センサによる登録状態であれば、テンキー登録状態に書き換える。
【００４４】
このようにして、ＲＡＭ４０には、テンキー４８から入力された番号及び該番号がテンキー４８から入力されたことを示すデータと、接触検知センサ５６から入力された形のデータ及び該形のデータが接触検知センサ５６から入力されたことを示すデータと、が格納される。即ち、４桁の暗証番号が、テンキー４８から入力された番号と接触検知センサ５６から入力された図形の組み合わせとして登録される。
【００４５】
次に、暗証番号が登録されている状態でキーロック状態にした場合に、キーロックを解除する動作を以下に説明する。図７はその時の動作を示すフロー図である。
【００４６】
キーロック状態で暗証番号を入力する際には、先ず、登録動作と同様に、図６に示すように、Ｓ３１〜Ｓ５０ステップの動作を行い、該Ｓ５１ステップにおいて、一時的格納された番号（又は形）のデータと、テンキー４８から入力されたか或いは接触検知センサ５６から入力されたかを示すデータと、をバッファ７１に格納し、このバッファ７１に格納されたこれらのデータがＲＡＭ４０に格納されているデータと一致するか否かを判定する。一致すると判定されると、制御回路３６は、Ｓ５２ステップへ処理を進み、キーロックを解除するように制御し、一方、一致しないと判定すると、Ｓ５３ステップへ処理を進み、ディスプレイ４２に例えば、「暗証番号が違います」と表示させ、暗証番号の入力を初めからやるようにユーザに促す。
【００４７】
尚、本実施例装置では、接触検知センサ５６から入力された形のデータが記憶される構成としたが、接触検知センサ５６から入力された形のデータと近似する番号を算出し、番号のデータとして記憶する構成としても良い。この場合、例えば、暗証番号が「１２３４」で、「１」と「４」がテンキー４８で、「２」と「３」が接触検知センサ５６で入力された番号である場合には、ＲＯＭ４０には、「１」の番号データとテンキー４８から入力されたことを示すデータ、「２」の番号データと接触検知センサ５６から入力されたことを示すデータ、「３」の番号データと接触検知センサ５６から入力されたことを示すデータ、「１」の番号データとテンキー４８から入力されたことを示すデータ、が格納される。キーロック状態で暗証番号を入力する際でも、同様に、接触検知センサ５６から入力された形のデータと近似する番号を算出し、番号のデータとして記憶し、これら番号のデータと、テンキー４８又は接触検知センサ５６から入力されたことを示すデータが、比較され、暗証番号が一致するか否かを判定する構成としても良い。
【００４８】
又、上記実施例では、接触検知センサ５６を用いて入力するものは、番号を例に説明したが、テンキー４８操作による入力であれ、接触検知センサ５６による入力であれ、暗証番号の入力によりキーロックを解除する構成である場合には、例えば、ユーザが４桁の暗証番号として、自分の生年月日や車のナンバーや連続する番号を登録する場合が多々あり、容易にキーロックを解除されてしまう可能性がある。
【００４９】
このような問題を解決するために、例えば、暗証番号の代わりに、図８に示すような文字「す」、記号「三角」、図形「郵便マーク」、線「横棒」、或いは点等を登録する構成としても良い。このような構成とすることにより、入力すべき情報がより複雑になり、他人に簡単にキーロックを解除されるといったことを回避することが可能である。この場合においても、形のデータを記憶するのではなく、接触検知センサ５６から入力された形に近似する図形や文字や記号等を算出し、その算出結果で得られた文字や記号や図形のデータを記憶する構成としても良い。
【００５０】
尚、本実施例では携帯電話装置で実施したが、銀行のＡＴＭ（ＡＵＴＯＭＡＴＩＣ  ＴＥＬＬＥＲ  ＭＡＣＨＩＮＥ）や、ＰＤＡ（ＰＥＲＳＯＮＡＬ  ＤＩＧＩＴＡＬ  ＡＳＳＩＳＴＡＮＣＥ）等でも同様に実施可能である。
【図面の簡単な説明】
【００５１】
【図１】本発明を適用してなる実施例装置の斜視図である。
【図２】本実施例装置の使用形態を示す斜視図である。
【図３】本実施例装置のブロック図である。
【図４】接触検知センサ５６近傍を示す断面図である。
【図５】本実施例装置の表示形態である。
【図６】実施例の動作を示すフロー図である。
【図７】実施例の動作を示すフロー図である。
【図８】本実施例装置の表示形態である。
【符号の説明】
【００５２】
１０      携帯電話装置
３６      制御回路
４０      ＲＯＭ
４４      入力部
４８      テンキー
５６      接触検知センサ
７１      第１バッファ
７２      第２バッファ
【図１】
2007109128.tif 000003
【図２】
2007109128.tif 000004
【図３】
2007109128.tif 000005
【図４】
2007109128.tif 000006
【図５】
2007109128.tif 000007
【図６】
2007109128.tif 000008
【図７】
2007109128.tif 000009
【図８】
2007109128.tif 000010